(57)【要約】【課題】せん断刃ユニットが前後へ首振り自在に支持され、しかもせん断刃ユニットを含むかみそりヘッドが前後、左右、上下の全方位へ浮動支持された電気かみそりでありながら、せん断ユニットを首振り不能に確実にロック保持できるようにする。【解決手段】動力モジュールＭと、その上部に設けたせん断刃ユニットＫとでかみそりヘッド２を構成する。せん断刃ユニットＫは、動力モジュールＭに固定したヘッドフレーム５５で前後揺動自在に支持する。せん断刃ユニットＫとヘッドフレーム５５との間には、首振りロック機構を設ける。首振りロック機構は、せん断刃ユニットＫに組み付けられるロックノブ１８と、ロックノブ１８に同行移動するロックピース９０とからなる。ロック位置へ切り換え操作されたロックピース９０と、ヘッドフレーム５５に設けたロック係合体９１とが互いに係合することにより、せん断刃ユニットＫを前後揺動不能にロック固定できる。【選択図】        図１
2004242769.tif 000002
【特許請求の範囲】
【請求項１】
本体ケース１の上部に設けたかみそりヘッド２に、せん断刃ユニットＫが設けられており、
内刃１５、外刃１６、および両刃１５・１６を支持する構造体を含むせん断刃ユニットＫが、ヘッドフレーム５５で前後揺動自在に支持されており、
せん断刃ユニットＫとヘッドフレーム５５との間に、ヘッドフレーム５５と係合して、せん断刃ユニットＫの前後揺動を阻止する首振りロック機構が設けられており、
首振りロック機構が、せん断刃ユニットＫの構造体に組み付けられて、ロック位置とアンロック位置との間で往復切り換え操作されるロックノブ１８と、ロックノブ１８の切り換え操作に連動して上下動するロックピース９０と、ヘッドフレーム５５の側に設けられて、ロックピース９０に係合するロック係合体９１とを含み、
ロック位置へ切り換え操作したロックピース９０とロック係合体９１とが互いに係合して、せん断刃ユニットＫを前後揺動不能にロック固定している電気かみそり。
【請求項２】
本体ケース１の上部に設けたかみそりヘッド２が、下半部を占める動力モジュールＭと、上半部を占めるせん断刃ユニットＫとで構成されており、
動力モジュールＭの下面に浮動フレーム２９が固定されており、
かみそりヘッド２が、浮動フレーム２９を介して内フレーム２５に装着され、浮動フレーム２９と内フレーム２５との間に配置したフロートばね８４で、かみそりヘッド２が前後、左右および上下の全方位へ浮動自在に支持されている請求項１記載の電気かみそり。
【請求項３】
せん断刃ユニットＫが、ヘッドフレーム５５に前後揺動可能に支持される揺動枠５６および内刃支持枠５７と、内刃支持枠５７に対してそれぞれ着脱可能に装着される内刃ユニット５８および外刃ホルダー１２とを含み、
ロックノブ１８が、内刃支持枠５７の側壁外面に配置されて、上下スライド自在に案内支持されており、
ロックピース９０は、ロックノブ１８が係合連結される連結枠９５と、弾性変形可能な節動体９６と、溝状に形成したロック係合体９１に係合するロック脚９７を一体に備えており、
内刃支持枠５７の側壁内面に配置したロックピース９０の連結枠９５に、ロックノブ１８の連結腕９３が係合連結されて、ロックノブ１８とロックピース９０とが同行可能に連結されており、
ロック位置へ切り換え操作したロックピース９０とロック係合体９１とが互いに係合して、せん断刃ユニットＫを前後揺動不能にロック固定している請求項１または２記載の電気かみそり。
【請求項４】
ロックピース９０と、ロックピース９０のスライド平面に対向する壁面との間に、前後いずれかに傾動しているせん断ユニットＫを強制的に中立位置へ戻す姿勢矯正機構が設けられており、
姿勢矯正機構が、ロックピース９０に設けた接当片９８と、前記壁面に設けた接当片９８を中立位置へ復帰操作する矯正ガイド１０１とで構成してある請求項１、２または３記載の電気かみそり。
【請求項５】
ロックピース９０とロック係合体９１とのいずれかに、ロックピース９０の前後いずれか一方への傾動を許す逃げ部１０５が形成されている請求項３または４記載の電気かみそり。
【発明の詳細な説明】
【０００１】
【発明の属する技術分野】
本発明は、首振り可能なせん断刃ユニットを備えている電気かみそりにおいて、せん断刃ユニットを首振り不能にロック固定するためのロック機構に関する。
【０００２】
【従来の技術】
本出願人はこの種のロック機構を備えた電気かみそりを先に提案した（特許文献１参照）。そこでは、本体ケースの一側にせん断刃ユニットをロック固定するためのロックノブが設けられている。このロックノブを下方の待機位置から上向きにスライド操作すると、ロックノブに設けたロック棒が、せん断刃ユニットの下フレームに設けた係合溝と係合して、せん断刃ユニットの前後揺動を規制できる。
【０００３】
ロック機構は、せん断刃ユニットと、該ユニットを揺動可能に支持するヘッドフレームとの間に設けた電気かみそりも別途提案している（特許文献２参照）。そこでは、ヘッドフレーム側に設けたロックノブを上向きにスライド操作して、せん断刃ユニットをロック保持する構造になっている。せん断刃ユニットは、その両側がヘッドフレームに設けた左右一対の支持壁で揺動可能に軸支してある。ロック機構は上下にスライド操作されるロックノブと、その節動構造、およびロック状態においてロックノブで揺動不能に受け止め支持される、せん断刃ユニット側の段部壁などで構成してある。
【０００４】
【特許文献１】
特開平１２−４２２６４号公報（段落番号００２７、図１３）
【特許文献２】
特開平９−３８３５２号公報（段落番号００３１、図２６、図２７）
【０００５】
【発明が解決しようとする課題】
特許文献１におけるロック機構では、本体ケース側に設けたロックノブでせん断刃ユニットを揺動不能にロック固定する。そのため、せん断刃ユニットをロックした状態においては、せん断刃ユニットを本体ケースに対して相対移動させることができず、例えば、せん断刃ユニットを前後、左右・上下の全方位へ浮動させる支持構造を採用するのが不可能となる。
【０００６】
特許文献２におけるロック機構は、基本的に特許文献１におけるロック機構と同様に、ヘッドフレーム側に設けたロックノブを上向きにスライド操作して、せん断刃ユニットをロック保持する構造になっている。しかし、せん断刃ユニット、ヘッドフレーム、およびモーターを含むかみそりヘッドの全体が、上下方向に限って浮動できる状態で本体ケースに浮動支持されているので、ロックノブがヘッドフレームに設けてあるにもかかわらず、かみそりヘッドを浮動支持できる。
【０００７】
しかし、特許文献２における電気かみそりでは、せん断刃ユニットをロック保持した状態でのロックピースは、節動機構で下降移動不能に位置保持されているに過ぎない。そのため、せん断刃ユニットに前後方向の揺動モーメントが作用し、節動機構の係合力を越える外力がロックピースに作用すると、ロックピースがロック解除位置まで押し下げ操作されてしまうおそれがあり、せん断刃ユニットのロック保持を確実に行えない点に改善の余地がある。ヘッドフレームの左右側壁でせん断刃ユニットを揺動可能に軸支しているので、ひげそり時に側壁が肌に当ってせん断刃ユニットの前後揺動を邪魔することがあり、この点でも改善の余地があった。
【０００８】
本発明の目的は、前後揺動可能に支持されたせん断刃ユニットを確実にロック保持できる電気かみそりを提供することにある。本発明の目的は、せん断刃ユニットが前後揺動可能に支持され、しかもせん断刃ユニットを含むかみそりヘッドが前後、左右、上下の全方位へ浮動支持してある電気かみそりでありながら、せん断刃ユニットを確実にロック保持することにある。本発明の目的は、電気かみそりを使用している状態において、せん断刃ユニットをロック状態と、前後揺動可能な状態とに迅速に切り換えることができるうえ、ひげそり時におけるせん断刃ユニットの前後揺動が常に円滑に行えるようにすることにある。
【０００９】
【課題を解決するための手段】
本発明の電気かみそりにおいては、本体ケース１の上部に設けたかみそりヘッド２に、せん断刃ユニットＫを設ける。内刃１５、外刃１６、および両刃１５・１６を支持する構造体を含むせん断刃ユニットＫは、ヘッドフレーム５５で前後揺動自在に支持されている。せん断刃ユニットＫとヘッドフレーム５５との間には、ヘッドフレーム５５と係合して、せん断刃ユニットＫの前後揺動を阻止する首振りロック機構が設けられている。その首振りロック機構は、せん断刃ユニットＫの構造体に組み付けられて、ロック位置とアンロック位置との間で往復切り換え操作されるロックノブ１８と、ロックノブ１８の切り換え操作に連動して上下動するロックピース９０と、ヘッドフレーム５５側に設けられて、ロックピース９０に係合するロック係合体９１とを含む。以て、ロック位置へ切り換え操作したロックピース９０とロック係合体９１とが互いに係合して、せん断刃ユニットＫを前後揺動不能にロック固定している（請求項１）。
【００１０】
図１１に示すように、本体ケース１の上部に設けたかみそりヘッド２は、下半部を占める動力モジュールＭと、上半部を占めるせん断刃ユニットＫとで構成する。動力モジュールＭの下面には浮動フレーム２９が固定されている。かみそりヘッド２は、浮動フレーム２９を介して内フレーム２５に装着され、浮動フレーム２９と内フレーム２５との間に配置したフロートばね８４で、かみそりヘッド２が前後、左右および上下の全方位へ浮動自在に支持されている（請求項２）。
【００１１】
せん断刃ユニットＫは、ヘッドフレーム５５に前後揺動可能に支持される揺動枠５６および内刃支持枠５７と、内刃支持枠５７に対してそれぞれ着脱可能に装着される内刃ユニット５８および外刃ホルダー１２とを含む。ロックノブ１８は、内刃支持枠５７の側壁外面に配置されて、上下スライド自在に案内支持されている。ロックピース９０は、ロックノブ１８が係合連結される連結枠９５と、弾性変形可能な節動体９６と、溝状に形成したロック係合体９１に係合するロック脚９７を一体に備えている。内刃支持枠５７の側壁内面に配置したロックピース９０の連結枠９５には、ロックノブ１８の連結腕９３が係合連結されて、ロックノブ１８とロックピース９０とが同行可能に連結されており、ロック位置へ切り換え操作したロックピース９０とロック係合体９１とが互いに係合して、せん断刃ユニットＫを前後揺動不能にロック固定している（請求項３）。
【００１２】
ロックピース９０と、ロックピース９０のスライド平面に対向する壁面との間には、前後いずれかに傾動しているせん断ユニットＫを強制的に中立位置へ戻す姿勢矯正機構を設ける。この姿勢矯正機構は、ロックピース９０に設けた接当片９８と、前記壁面に設けた接当片９８を中立位置へ復帰操作する矯正ガイド１０１とで構成されている（請求項４）。
【００１３】
ロックピース９０とロック係合体９１とのいずれかに、ロックピース９０の前後いずれか一方への傾動を許す逃げ部１０５が形成されている（請求項５）。
【００１４】
【発明の作用効果】
本発明の電気かみそりにおいては、せん断刃ユニットＫをヘッドフレーム５５で前後揺動自在に支持し、せん断刃ユニットＫとヘッドフレーム５５との間に首振りロック機構を設けた。詳しくは、ロック位置とアンロック位置とに切り換え操作できるロックノブ１８と、ロックノブ１８に連動して上下動するロックピース９０と、ヘッドフレーム５５側に設けたロック係合体９１などで首振りロック機構を構成し、前後揺動するせん断刃ユニットＫ側にロックノブ１８を設けるようにした。従って、本発明によれば、ロック位置へ切り換え操作したロックピース９０とロック係合体９１とを互いに係合させて、せん断刃ユニットＫを前後揺動不能にロック固定でき、例えば、せん断刃ユニットＫに前後方向の揺動モーメントが作用する場合でも、ロックピース９０がロック解除位置へ復帰操作されるのを阻止して、せん断刃ユニットＫを確実にロック保持できる。
【００１５】
前後揺動するせん断刃ユニットＫ側にロックノブ１８を設けたので、せん断刃ユニットＫをアンロック状態で使用するとき、図１７に示すように、親指と人差し指でせん断刃ユニットＫを支えて固定し、あるいは必要に応じて前後に揺動操作しながらひげをそることができ、手や腕を大きく動かす必要もなく、使用者の意図のままにせん断刃面を肌に沿わせることができる。必要時には、せん断刃ユニットＫを支持した状態のままで、ロックノブ１８をロック位置に切り換えることができるので、アンロック状態からロック状態への切り換えを迅速に行うことができる、使い勝手にすぐれた電気かみそりが得られる（請求項１）。
【００１６】
前後揺動するせん断刃ユニットＫ側にロックノブ１８を設けてあるので、せん断刃ユニットＫの前後揺動を可能としながら、かみそりヘッド２の全体を全方位へ浮動できる電気かみそりが得られる。詳しくは、動力モジュールＭとせん断刃ユニットＫとからなるみそりヘッド２は、その下面に固定した浮動フレーム２９を介して内フレーム２５に装着し、浮動フレーム２９と内フレーム２５との間に設けたフロートばね８４で浮動支持することにより、ロックノブ１８に影響されることなく、かみそりヘッド２の全体を前後、左右および上下の全方位へ浮動自在に支持することができる。かみそりヘッド２を全方向へ不動自在に支持すると、かみそりヘッド２の姿勢をあごや頬などの面変化に応じて円滑に追随させフィットさせることができるうえ、かみそりヘッド２を局部的に過剰に押し付けられるのを緩和して、肌に対する接触状態をソフトなものとすることができる（請求項２）。
【００１７】
ヘッドフレーム５５で前後揺動可能に支持される揺動枠５６、および内刃支持枠５７と、内刃支持枠５７に対してそれぞれ着脱可能に装着される内刃ユニット５８、および外刃ホルダー１２などでせん断刃ユニットＫが構成されているので、せん断刃ユニットＫの外面に、揺動枠５６および内刃支持枠５７の軸支構造（実施例の側壁６１）が露出するのを防止できる。つまり、せん断刃ユニットＫの外面に、ヘッドフレーム５５側の揺動支持構造が露出するのを防止できるので、ひげそり時に固定側壁が肌に当ってせん断刃ユニットＫの前後揺動が邪魔されるのを一掃できる。従って、ひげそり時におけるせん断刃ユニットＫの前後揺動を常に円滑に行える。
【００１８】
また、連結枠９５、弾性変形可能な節動体９６、およびロック脚９７等でロックピース９０を構成し、ロックピース９０の連結枠９５に、ロックノブ１８の連結腕９３を係合連結して、ロックノブ１８とロックピース９０とを同行可能に連結し、ロックノブ１８をロック位置へ切り換え操作した状態において、ロック脚９７が溝状のロック係合体９１と係合して、せん断刃ユニットＫを前後揺動不能にロック固定する首振りロック構造によれば、せん断刃ユニットＫのロック状態をさらに確実に維持でき、ひげそり途中であっても、ロックノブ１８をアンロック位置へ押し上げ操作するだけで、せん断刃ユニットＫのロック状態を解除できる（請求項３）。
【００１９】
ロックピース９０に設けられる接当片９８と、ロックピース９０のスライド平面と対向する壁面に設けた矯正ガイド１０１とで構成した姿勢矯正機構を備えたせん断刃ユニットＫによれば、せん断刃ユニットＫが前後いずれかに傾動していたとしても、ロックノブ１８をロック位置へ移動操作することにより、せん断ユニットＫを強制的に中立位置へ戻して、ロックピース９０をロック係合体９１に係合させることができる。つまり、従来の電気かみそりにおいて不可欠であった、前後いずれかに傾動しているせん断刃ユニットＫの姿勢を中立位置へ戻したうえで、ロックノブ１８をロック操作する手間を省くことができ、その分だけ首振りロック機構の使いやすさが向上する（請求項４）。
【００２０】
ロックピース９０とロック係合体９１とのいずれかに、ロックピース９０の前後いずれか一方への傾動を許す逃げ部１０５が形成された首振りロック機構によれば、ロックピース９０がロック係合体９１と係合した状態において、逃げ部１０５の側へロックピース９０を傾動可能として、前後いずれか一方のみの傾動が規制された首振りロック機構とすることができる。つまり半ロック型の首振りロック機構を備えた電気かみそりを提供できる（請求項５）。
【００２１】
【実施例】
図１ないし図１７は本発明に係る電気かみそりの実施例を示す。図２ないし図４において電気かみそりは、本体ケース１と、その上部に設けたかみそりヘッド２と、本体ケース１に収容される電装品ユニット３などからなる。
【００２２】
本体ケース１の前面には、モーター起動用のスイッチボタン５、そのロックボタン６、および運転モードを切り換えるセレクトボタン７などを含む切り換え操作具と、表示具とを設けてある。表示具は、セレクトボタン７の上側に設けた充電灯８と、電池残量表示灯９と、ケース上部に設けられて運転モードに応じて色が変化する逆Ｕ字状のモード表示灯１０と、ひげセンサーのオンオフに連動して点灯するセンサー灯１１との４種を含む。符号１２は外刃ホルダーである。
【００２３】
図３において本体ケース１の背面側には、きわぞり刃（往復動刃）１３と、きわぞり刃１３を駆動位置へ押し上げ操作するスライドノブ１４とが設けてある。かみそりヘッド２には、横軸まわりに回転する前後一対ずつの内刃１５と、内刃１５に密着する前後一対の外刃１６と、一対の内刃１５間に配置されるセンター刃（往復動刃）１７と、これらを駆動する駆動機構などを配置してある。かみそりヘッド２の左右には、かみそりヘッド２を前後揺動不能にロック固定するためのロックノブ１８と、外刃ホルダー１２をロック解除操作する左右一対の解除ボタン１９などが設けてある。
【００２４】
図４において電装品ユニット３は、内フレーム２５と、内フレーム２５の前面に装着される回路基板２６と、回路基板２６の背面側に配置される左右一対の２次電池２７とを含み、回路基板２６に電源スイッチ、および各種の表示用ＬＥＤなどを組み付けられている。
【００２５】
本体ケース１内に電装品ユニット３を装着した後、本体ケース１の開口下面を塞ぐ底ケース２１と内フレーム２５とをビスで締結することにより、本体ケース１と、電装品ユニット３と、底ケース２１との三者を分離不能に一体化する。この組み立て状態において、電装品ユニット３を含むケース内空間は、ケースパッキン２８で防水してあり（図５参照）、底ケース２１の接合部分も同様に防水されている。かみそりヘッド２は、その下面に固定した浮動フレーム２９を介して内フレーム２５に装着され、前後左右および上下の全方位へフロート自在に支持されている。その詳細は後述する。
【００２６】
図５および図６において、かみそりヘッド２は、下半部を占める動力モジュールＭと、上半部を占めるせん断刃ユニットＫとを含む。内刃１５、外刃１６、および両刃１５・１６を支持する構造体を含むせん断刃ユニットＫは、動力モジュールＭに固定したヘッドフレーム５５で前後揺動自在に支持されている。せん断刃ユニットＫとヘッドフレーム５５との間には、ヘッドフレーム５５と係合して、せん断刃ユニットＫの前後揺動を阻止する首振りロック機構が設けられている。
【００２７】
動力モジュールＭは、モーター３１と、遊星歯車機構からなる減速機構３２とをユニット化して構成する。減速機構３２で減速したモーター動力は、巻掛伝動機構３３を介して内刃１５に伝わる。動力モジュールＭには、モーター動力を左右方向の往復動力に変換して、きわぞり刃１３、およびセンター刃１７に伝える動力系も設けてある。
【００２８】
図５において巻掛伝動機構３３は、減速機構３２の出力軸３４に固定される原動プーリー３５と、終段軸３６に固定される従動プーリー３７と、両プーリー３５・３６に巻き掛け装着されるタイミングベルト３８とからなる。終段軸３６に設けた終段ギヤ３９で、前後の内刃１５が同時に回転駆動される。
【００２９】
モーター３１の回転動力を左右方向の往復動作に変換するために起振構造を備えている。図６において起振構造は、動力モジュールＭの側面に固定されるガイド板４０と、モーター３１の出力軸に固定される駆動カム４１と、駆動カム４１で上下に往復駆動される受動ピース４２と、受動ピース４２の上下動作を左右動作に直接変換する逆Ｌ字状の伝動ベルト４３と、伝動ベルト４３の左右動作を受け継ぐスライド片４４とを含む。伝動ベルト４３は、ポリイミド繊維で強化されたポリウレタン製のタイミングベルトからなり、その屈曲部の内外が変向ギヤ４５と遊転ローラー４６とで変向案内されている。
【００３０】
図６においてスライド片４４に伝動された往復動力は、その上面中央に突設の駆動ピン４７と振動子４８とを介してセンター刃１７に伝動されると同時に、スライド片４４の後面に設けた駆動アーム４９を介してきわぞり刃１３に伝動される。詳しくは、図１０に示すように、駆動アーム４９の後端部に縦方向の操作溝５０を形成してあり、この操作溝５０に伝動アーム５１の下端に設けた受動突起５２が係合することにより、伝動アーム５１が往復揺動して、きわぞり刃１３の可動刃を左右に往復駆動できる。伝動アーム５１はスライドノブ１４の内面に設けた軸５３で左右揺動可能に支持してあり、スライドノブ１４を待機位置から使用位置へ押し上げ操作した状態でのみ、受動突起５２が操作溝５０と係合して動力を受け継ぐことができる。
【００３１】
図７において、せん断刃ユニットＫは、内刃１５、外刃１６、および両刃１５・１６を支持する構造体、すなわちヘッドフレーム５５に前後揺動可能に支持される揺動枠５６および内刃支持枠５７と、内刃支持枠５７に対して前後面からそれぞれ着脱可能に装着される内刃ユニット５８と、内刃支持枠５７に着脱自在に装着される外刃ホルダー１２と、内刃支持枠５７の内部に収容される振動子４８などで構成する。ヘッドフレーム５５、揺動枠５６、および内刃支持枠５７はそれぞれプラスチック成形品である。
【００３２】
ヘッドフレーム５５は、下向きに開口するケース部６０と、ケース部６０の上面の左右両側に立設した側壁６１とを備えており、左右の側壁６１で揺動枠５６を前後揺動可能に軸支する。そのために、ケース部６０の上面壁は揺動枠５６の揺動軌跡に沿って下凹み円弧状に形成されている。図１２に示すように、側壁６１の外面には左右一対の矯正ガイド１０１を突設し、側壁６１の基端外面に、後述するロックピース９０と係合するロック係合溝９１を形成してある。四角枠状に形成された揺動枠５６の上面左右には、上端に揺動ボス６２を備えた揺動腕６３が立設されており、前記側壁６１で揺動ボス６２が前後揺動自在に軸支されている。片方の揺動ボス６２には、終段軸３６と終段ギヤ３９とが組み込まれる（図６参照）。図７に示すように振動子４８の左右両端の取付部は揺動枠５６に固定する。
【００３３】
内刃支持枠５７は、下向きに開口する角箱状のカバー部６５と、カバー部６５の上面左右に突設されるトンネル断面状のアーチ部６６とを一体に備えており、揺動枠５６に上面側から係合装着されて、ヘッドフレーム５５の上面を側壁６１ごとカバーする。カバー部６５の上面４箇所には、内刃ユニット５８を前側あるいは後側から係合装着するための装着部６７を形成してある。アーチ部６６の側壁外面にロックノブ１８を上下スライド自在に案内支持する角ボス８６が形成されており、角ボス８６の下方の側壁に縦長の逃げ溝８７と節動突起８８とが形成されている。アーチ部６６の側壁内面には、図１３に示すごとくロックピース９０を上下スライド自在に案内するガイドリブ８９が形成されている。このガイドリブ８９によりロックピース９０は安定して上下動できる。
【００３４】
内刃支持枠５７を揺動枠５６に装着することにより、振動子４８の駆動軸６８のみがカバー部６５の開口上面から上方へ突出するが、この開口と駆動軸６８との間はパッキン６９で封止する（図６参照）。内刃支持枠５７のアーチ部６６の外側壁には、前述のロックノブ１８と解除ボタン１９とが組み込まれている。
【００３５】
図７および図８において内刃ユニット５８は、左右に長いＨ字状の内刃フレーム７２と、内刃フレーム７２に軸支される内刃１５と、片方の内刃軸に固定した内刃ギヤ７４とからなる。内刃フレーム７２の左右の脚下部には、前記装着部６７と係合する係合溝７５を左右対向状に設けてある。内刃１５は、円柱状のプラスチック製ホルダーの外周面に、一群の金属切刃をスパイラル状に埋設固定して形成されている。
【００３６】
内刃支持枠５７に装着した内刃ユニット５８はロック機構で前後移動不能に係合捕捉される。そのロック機構は、内刃支持枠５７の内部に設けてあり、図８に示すごとく前後に長いロックアーム７７と、ロックアーム７７を押し上げ付勢する圧縮コイル形のロックばね７８とからなる。
【００３７】
ロックアーム７７の前後端には、内刃フレーム７２を係合捕捉する係合爪７９が上向きに突設されている。内刃ユニット５８を装着部６７に差し込み装着した状態においては、ロックアーム７７の係合爪７９が内刃フレーム７２の両側部に係合する。これにより内刃ユニット５８は、前後、左右、上下の全方位へ移動不能に保持固定される。
【００３８】
図９において外刃ホルダー１２は、前後一対の外刃１６およびセンター刃１７を支持する内ケース１２ｂと、亜鉛ダイキャスト成形品からなる外ケース１２ａとに分けて構成してあり、外ケース１２ａで内ケース１２ｂを固定支持する。外ケース１２ａの両側内面の前後には、解除ボタン１９と一体形成した係合爪２０（図１参照）で係合捕捉される爪凹部２２が形成されている。
【００３９】
かみそりヘッド２の全体は、本体ケース１に前後、左右、上下の各方向を含む全方位方向へ浮動可能に支持する。詳しくは図５、図１０、図１１に示すように、モーターハウジング８２の下面に、浮動フレーム２９を固定し、浮動フレーム２９の４隅外面に突設した係合脚８３を、内フレーム２５の係合爪に係合したうえで、内フレーム２５と浮動フレーム２９との間に配置した左右一対の圧縮コイル形のフロートばね８４で、かみそりヘッド２の全体を前後、左右、上下の全方位へ浮動可能に支持する。かみそりヘッド２の浮動動作を阻害することなく、電装品ユニット３を防水するために、モーターハウジング８２の下面と、本体ケース１の内面の筒壁８５との間が、ケースパッキン２８で封止されている。
【００４０】
せん断刃ユニットＫの前後揺動を阻止するために、せん断刃ユニットＫとヘッドフレーム５５との間には、首振りロック機構を備えている。図１および図１２において首振りロック機構は、内刃支持枠５７に組み付けられて、ロック位置とアンロック位置との間で往復切り換え操作されるロックノブ１８と、ロックノブ１８の切り換え操作に連動して上下動するロックピース９０と、ヘッドフレーム５５に設けたロック係合溝（ロック係合体）９１とを含む。
【００４１】
図１２に示すように、上下縦長のロックノブ１８の外面には、滑り止め用の突起９２が、内面には前後一対の連結腕９３がそれぞれ一体に形成されている。ロックピース９０は、ロックノブ１８の連結腕９３が係合連結される連結枠９５と、連結枠９５の下方に形成された前後一対の弾性変形可能な節動体９６と、節動体９６の下端後縁から下向きに突設されたロック脚９７と、連結枠９５の前後に設けられた一対の接当片９８を一体に備えている。
【００４２】
連結枠９５で囲まれる開口に前記連結腕９３を嵌め込み、ロックピース９０をアーチ部６６の側壁内面に組み付けた状態で、連結腕９３を連結枠９５に圧嵌係合することにより、ロックノブ１８とロックピース９０とを一体化して同行移動させることができる。この組み付け状態においては、ロックピース９０の前後面がガイドリブ８９で案内され、節動体９６の上端が逃げ溝８７内へ入り込んで、節動突起８８を乗越えながら上下動できる。ロック脚９７の前後幅は、ロック係合溝９１の前後幅より僅かに小さく寸法設定される。
【００４３】
先に説明したように、せん断刃ユニットＫはヘッドフレーム５５で前後揺動可能に支持されている。そのため、せん断刃ユニットＫを前後いずれかへ傾動した状態のままで、ロックノブ１８をアンロック位置からロック位置へと押し下げ操作すると、ロック脚９７がヘッドフレーム５５の下凹み円弧状の上壁に当たる。こうした場合に、前後いずれかに傾動しているせん断ユニットＫを強制的に中立位置へ戻すために、ロックピース９０と、ロックピース９０のスライド平面に対向する壁面、具体的にはヘッドフレーム５５の側壁６１の外面との間に、姿勢矯正機構が設けられている。
【００４４】
姿勢矯正機構は、ロックピース９０に設けた接当片９８と、側壁６１の側壁外面に設けた前後一対の矯正ガイド１０１と、矯正ガイド１０１の上面に形成した傾斜カム面１０２とで構成する。図１３に示すようにせん断刃ユニットＫが中立位置にあるときの一対の接当片９８の前後間隔は、一対の矯正ガイド１０１の前後面間の距離より僅かに大きく設定してある。従って、せん断刃ユニットＫが中立位置にある限り、ロックノブ１８は支障なく押し下げ操作できる。
【００４５】
しかし、図１４および図１５に示すようにせん断刃ユニットＫが前後いずれかへ傾いている場合には、傾いている側の接当片９８のスライド軌跡と傾斜カム面１０２とが交差する。そのため、せん断刃ユニットＫが傾いている状態のままでロックノブ１８を押し下げ操作すると、接当片９８が傾斜カム面１０２と接当し、せん断刃ユニットＫの揺動中心まわりの反力モーメントＰを受ける（図１５では時計回転方向）。その結果、せん断刃ユニットＫの全体は、矯正ガイド１０１で強制的に揺動操作されて中立位置側へ復帰でき、その後にロック脚９７がロック係合溝９１に係合できる。
【００４６】
上記のように、前後揺動するせん断刃ユニットＫにロックノブ１８を組み込んだ電気かみそりでは、例えば図１６に示すように、せん断刃ユニットＫを前後揺動不能にロックした状態でひげそりを行え、図１７に示すようにロックノブ１８をアンロック状態に切り換えて、せん断刃ユニットＫを前後揺動可能な状態にして使用できる。後者の使用状態においては、せん断刃ユニットＫを揺動支持するヘッドフレーム５５の側壁６１が、内刃支持枠５７、外刃ホルダー１２で覆い隠されてしまうので、親指と人差し指とでせん断刃ユニットＫを支えて固定し、あるいは必要に応じて前後に揺動操作しながらひげを剃れ、手や腕を大きく動かすまでもなく、使用者の意図のままにせん断刃面を肌に沿わせることができる。
【００４７】
図１８は首振りロック機構の別実施例を示す。そこでは、ロック脚９７の後部に逃げ部１０５を切り欠き形成して、せん断刃ユニットＫがロックピース９０でロック固定されている状態において、前記逃げ部１０５の分だけせん断刃ユニットＫが前方へ傾動できるようにした。つまり首振りロック機構を半ロック型に構成した。この場合には、前側の接当片９８を省略して、接当片９８が矯正ガイド１０１と接触干渉するのを防止する必要がある。他は先の実施例と同じであるので、同じ部材に同じ符号を付して、その説明を省略する。
【００４８】
上記の実施例では、内刃１５がロータリー内刃である場合について説明したが、本発明は往復動形の内刃を備えている電気かみそりにも適用できる。ロック係合体９１は溝である必要はなく、突起で形成してもよく、その場合には、ロックピース９０に前記突起と係合する溝や凹部等を設けるとよい。傾斜カム面１０２は接当片９８の側に設けることができる。かみそりヘッド２は前後、左右、上下に浮動支持する必要はなく、少なくとも前後に首振り可能であればよい。つまりヘッドフレーム５５が本体ケース１側に固定支持される構造であってもよい。モーター等の動力源が本体ケース１内に固定支持してあってもよい。ロック係合体９１はヘッドフレーム５５以外の、本体ケース１側の構造体に形成することができる。
【図面の簡単な説明】
【図１】首振りロック機構の縦断正面図である。
【図２】電気かみそりの正面図である。
【図３】電気かみそりの側面図である。
【図４】電気かみそりの分解正面図である。
【図５】かみそりヘッドの縦断正面である。
【図６】かみそりヘッドの中央縦断正面である。
【図７】かみそりヘッドの動力伝動系を省略した分解正面図である。
【図８】内刃ユニットの取り付け構造を示す縦断側面図である。
【図９】外刃ホルダーの分解斜視図である。
【図１０】電気かみそりの縦断側面図である。
【図１１】かみそりヘッドの浮動支持構造の概略を示す説明図である。
【図１２】首振りロック機構の分解斜視図である。
【図１３】図１におけるＡ−Ａ線断面図である。
【図１４】せん断刃ユニットが傾動した状態の図１におけるＢ−Ｂ線断面図である。
【図１５】せん断刃ユニットの姿勢矯正動作を示す説明図である。
【図１６】電気かみそりの使用状態を示す側面図である。
【図１７】電気かみそりの別使用状態を示す側面図である。
【図１８】首振りロック機構の別実施例を示す図１５と同等位置の断面図である。
【符号の説明】
１  本体ケース
２  かみそりヘッド
１２  外刃ホルダー
１５  内刃
１６  外刃
１８  ロックノブ
９０  ロックペース
９２  ロック係合体
Ｋ  せん断刃ユニット
Ｍ  動力モジュール
【図１】
2004242769.tif 000003
【図２】
2004242769.tif 000004
【図３】
2004242769.tif 000005
【図４】
2004242769.tif 000006
【図５】
2004242769.tif 000007
【図６】
2004242769.tif 000008
【図７】
2004242769.tif 000009
【図８】
2004242769.tif 000010
【図９】
2004242769.tif 000011
【図１０】
2004242769.tif 000012
【図１１】
2004242769.tif 000013
【図１２】
2004242769.tif 000014
【図１３】
2004242769.tif 000015
【図１４】
2004242769.tif 000016
【図１５】
2004242769.tif 000017
【図１６】
2004242769.tif 000018
【図１７】
2004242769.tif 000019
【図１８】
2004242769.tif 000020